(57)【要約】      （修正有）【課題】包埋用のカセットの蓋を片手で開けることが可能な包埋装置を提供する。【解決手段】本発明に係る包埋装置は、本体２Ｂと前記本体２Ｂに対して開閉可能に設けられた蓋２Ａとを有して試料を収容するカセット２を載置する載置機構４０と、前記カセット２の前記蓋２Ａを開ける蓋開け機構３０と、を備え、前記蓋開け機構３０は、前記蓋２Ａが閉められた前記カセット２が前記載置機構４０の所定位置に載置された状態において前記蓋２Ａの下面よりも高さが低い位置に設けられる一端部３１と、前記一端部３１から前記蓋２Ａの下面よりも高さが高い位置まで延びる傾斜面３２と、を有する。【選択図】図５
2018132400.tif 000002
【特許請求の範囲】
【請求項１】
本体と前記本体に対して開閉可能に設けられた蓋とを有して試料を収容するカセットを載置する載置機構と、
前記カセットの前記蓋を開ける蓋開け機構と、を備え、
前記蓋開け機構は、前記蓋が閉められた前記カセットが前記載置機構の所定位置に載置された状態において前記蓋の下面よりも高さが低い位置に設けられる一端部と、前記一端部から前記蓋の下面よりも高さが高い位置まで延びる傾斜面と、を有すること
を特徴とする包埋装置。
【請求項２】
前記傾斜面は、前記カセットに対向する方向と平行する前後方向に傾斜していること
を特徴とする請求項１記載の包埋装置。
【請求項３】
前記傾斜面は、前記一端部から前記蓋の下面と高さが同じとなる位置までの水平距離が、前記蓋における前記本体からの突出距離よりも短いこと
を特徴とする請求項２記載の包埋装置。
【請求項４】
前記傾斜面は、前記カセットに対向する方向と直交する左右方向に傾斜していること
を特徴とする請求項１記載の包埋装置。
【請求項５】
前記載置機構は、前記カセットが嵌合されて左右方向に移動可能となる幅に形成された溝部を有すること
を特徴とする請求項４記載の包埋装置。
【請求項６】
前記溝部における前記一端部から遠い側の壁面と、前記一端部との距離が左右いずれかの方向に向かうにつれて短くなるように形成されていること
を特徴とする請求項５記載の包埋装置。
【請求項７】
前記蓋開け機構は、前記傾斜面における前記蓋の下面と高さが一致する部分近傍の上方位置にひさし状に形成された跳ね防止部を有すること
を特徴とする請求項１〜６いずれか一項に記載の包埋装置。
【請求項８】
前記蓋開け機構は、前記カセットに対向する側とは逆側の他端部に連続する領域に、前後方向および左右方向が所定寸法の上面部が設けられたハンドレスト部を有すること
を特徴とする請求項１〜７いずれか一項に記載の包埋装置。
【請求項９】
前記一端部は、先端が鋭角の先細り形状に形成されていること
を特徴とする請求項１〜３いずれか一項に記載の包埋装置。
【発明の詳細な説明】
【技術分野】
【０００１】
本発明は包埋装置に関し、さらに詳細には、パラフィン等の包埋材を用いて組織片等の試料を包埋する包埋装置に関する。
【背景技術】
【０００２】
人体等から採取した組織片（試料）を顕微鏡標本とするには、組織片処理装置を用いて、採取した組織片をアルコールによって脱水をし、次にアルコールをキシレンに置換をして脱脂し、脱脂された組織片をパラフィン等の包埋材で浸透させて包埋する。この包埋された組織片をミクロトームなどで薄切りして顕微鏡標本とする。
【０００３】
なお、包埋材によって包埋された組織片を、ミクロトームで薄切りする際に、柔らかい組織片をどのように保持するかが問題となる。さらに、組織片がいつ誰のどの部位から採取された物か、等のデータを記載する必要性等もあって、包埋材にて包埋された組織片を、樹脂製のカセットの本体に包埋材によって一体に取り付ける包埋装置が提案されている（特許文献１：特開２００２−３１８１７７号公報参照）。
【先行技術文献】
【特許文献】
【０００４】
【特許文献１】特開２００２−３１８１７７号公報
【発明の概要】
【発明が解決しようとする課題】
【０００５】
ここで、特許文献１に例示される包埋装置を用いて試料を包埋する概略工程は次の通りである。先ず、ピンセットを持ち、溶融パラフィンの中に収容されているカセットを取り出す。次に、一旦、ピンセットをホルダーに置く。次に、一方の手でカセットの本体を押さえながら、他方の手でカセットの蓋を開ける。次に、再度、ピンセットを持ち、カセットの中の組織片を包埋皿に入れてコールドスポット上で位置固定する。次に、カセットの本体を包埋皿に被せて、溶融パラフィンをカセットの上から分注する。このように、試料の包埋工程が行われる。
【０００６】
概略として、上記のように試料を包埋する工程が行われるが、特に、カセットの蓋を開ける工程を両手で行うため、それまで手に保持していたピンセットをいちいちホルダーに戻さなければならないという不都合があった。これは、作業の煩雑さと、作業時間の増加を招く要因となっており、改善が求められていた。
【０００７】
本発明は、上記課題に鑑みてなされたものであり、試料の収容等に用いられるカセットの蓋を片手で開けることが可能な包埋装置を提供することを目的とする。
【課題を解決するための手段】
【０００８】
一実施形態として、以下に開示するような解決手段により、前記課題を解決する。
【０００９】
開示の包埋装置は、本体と前記本体に対して開閉可能に設けられた蓋とを有して試料を収容するカセットを載置する載置機構と、前記カセットの前記蓋を開ける蓋開け機構と、を備え、前記蓋開け機構は、前記蓋が閉められた前記カセットが前記載置機構の所定位置に載置された状態において前記蓋の下面よりも高さが低い位置に設けられる一端部と、前記一端部から前記蓋の下面よりも高さが高い位置まで延びる傾斜面と、を有することを特徴とする。
【発明の効果】
【００１０】
本発明によれば、試料の収容等に用いられるカセットの蓋を開ける工程を片手で行うことが可能な包埋装置を実現することができる。これにより、作業の簡素化と、作業時間の低減を図ることができる。
【図面の簡単な説明】
【００１１】
【図１】本発明の第一の実施形態に係る包埋装置の例を示す平面図（概略図）である。
【図２】図１に示す包埋装置の側面図（概略図）である。
【図３】図１に示す包埋装置によって包埋する試料を収容するカセットの斜視図（概略図）である。
【図４】図３に示すカセットにおける本体と蓋の構成を説明するための斜視図（概略図）である。
【図５】図１に示す包埋装置の蓋開け機構の例を示す斜視図（概略図）である。
【図６】図５におけるVI−VI線断面図である。
【図７】本発明の第二の実施形態に係る包埋装置の蓋開け機構の例を示す斜視図（概略図）である。
【図８】図７におけるVIII−VIII線断面図である。
【図９】本発明の第三の実施形態に係る包埋装置の蓋開け機構の例を示す斜視図（概略図）である。
【図１０】本発明の第四の実施形態に係る包埋装置の蓋開け機構および載置機構の例を示す平面図（概略図）である。
【発明を実施するための形態】
【００１２】
（第一の実施形態）
以下、図面を参照して、本発明の第一の実施形態について詳しく説明する。図１は、本発明の第一の実施形態に係る包埋装置１の例を示す平面図（概略図）であり、図２は、その側面図（概略図）である。また、図３は、包埋装置１によって包埋する試料を収容するカセットの斜視図（概略図）であり、図４は、カセットの本体に対して開閉可能に設けられる蓋を開けた状態の斜視図（概略図）である。なお、説明の便宜上、図中において矢印により包埋装置１の前後、左右、および上下方向を示している。また、各実施形態を説明するための全図において、同一の機能を有する部材には同一の符号を付し、その繰り返しの説明は省略する場合がある。
【００１３】
図１、図２に示すように、本実施形態に係る包埋装置１は、包埋材としてのパラフィンが溶融されて貯留された貯留槽１２と、貯留槽１２に貯留されている溶融パラフィンの液面よりも下方に位置する、流量調整弁としてのニードル弁１４と、貯留槽１２とニードル弁１４とを連結する配管の途中に設けられた開閉弁の開閉スイッチ１６とが設けられている。なお、貯留槽１２の上方には、カバー２４が開閉可能に装着されており、カバー２４を開くことによって貯留槽１２にパラフィンの補給等を行うことができる。
【００１４】
また、ニードル弁１４の左右前方には、試料が収容される包埋皿等を加温するホットプレート１８が設けられている。一方、ニードル弁１４の近傍の左右後方には、カセット２から試料を取り出す際等に用いられるピンセット等の器具を加温するホルダー２２が設けられている。
【００１５】
さらに、ニードル弁１４の前方には、ペルチェ素子によって冷却されるコールドスポット２０が設けられている。このコールドスポット２０は、試料が収容された包埋皿に充填された溶融パラフィンを凝固させる際に使用される。
【００１６】
一方、ニードル弁１４の左右後方には包埋皿、試料を収容して加温する加温槽２６が設けられている。
【００１７】
また、本実施形態に係る包埋装置１においては、カセット２を載置する載置機構４０が設けられている。ここで、載置機構４０は、カセット２が嵌合されて左右方向に移動可能となるようにカセット２の前後方向幅よりも大きい寸法の前後方向幅に形成された溝部４１を備えており、溝部４１内にホットプレート１８の上面が露出する構成となっている。したがって、カセット２は当該ホットプレート１８の上面に載置されることとなる。なお、変形例として、ホットプレート１８に代えて、加温機構を有しない平板を配設する構成としてもよい（不図示）。
【００１８】
この構成によれば、溝部４１を有することによって、包埋皿が装置外へ落出することを防止し、確実に装置の所定位置上（ここでは、溝部４１内のホットプレート１８上）に載置することが可能となる。
【００１９】
なお、作業者の利き手（右利き、左利き）に関わらず作業を行うことができるように、本実施形態に係る包埋装置１は、ニードル弁１４を中心とした左右対称に各機構が配設された構成となっている。
【００２０】
ここで、包埋装置１を用いて試料（組織片）の包埋を行う工程について説明する。
先ず、溶融パラフィンの入った加温槽２６の中に、パラフィン浸透を終えてカセット２に入れられた試料をバスケットごと収容する。
【００２１】
次に、ピンセットを持ち、加温槽２６（一例として２６Ａ）の溶融パラフィンの中に収容されている試料入りのカセット２を取り出す。ここで、カセット２の蓋２Ａを開けて、試料の大きさを確認する。
【００２２】
次に、試料の大きさに合う予め加温しておいた包埋皿を加温槽２６（一例として２６Ｂ）から取り出し、当該包埋皿の中にニードル弁１４から少量のパラフィンを分注する。
【００２３】
次に、ピンセットを用いてカセット２の中の試料を包埋皿に入れ、コールドスポット２０上で包埋皿を冷却しながら試料の位置を固定する。
【００２４】
次に、蓋２Ａを外した状態のカセット２の本体２Ｂを包埋皿の開口部に被せて、溶融パラフィンをカセット２の本体２Ｂの上から分注する。
【００２５】
次に、別の装置（一例として、クライオ・モジュール（不図示）等）を用いて、包埋皿を冷却して、パラフィンの固化を行う。
【００２６】
次に、冷却によってパラフィンが固化したら、カセット２の本体２Ｂを包埋皿から取り外す。このとき、試料はパラフィンによって包埋された状態でカセット２の本体２Ｂに固定された状態となっている。
【００２７】
以上のような概略工程によって試料の包埋が行われる。なお、引き続いて、ミクロトーム（不図示）を用いて試料が薄切りされて顕微鏡標本を作製する工程等が行われる。
【００２８】
ところで、前述の通り、従来の包埋工程においては、試料が入れられているカセット２の蓋２Ａを開ける際に、それまで手に保持していたピンセットを一旦、ホルダー２２に戻し、一方の手でカセット２の本体２Ｂを押さえながら、他方の手でカセット２の蓋２Ａを開けなければならないという課題があった。
【００２９】
本実施形態においては、以下の特徴的な構成を備えることによって、当該課題の解決を可能としている。
【００３０】
具体的には、カセット２を載置機構４０の所定位置（一例として、溝部４１内に配設されるホットプレート１８の上面の所定位置）に載置した状態において、試料を収容するカセット２の本体２Ｂに開閉可能に設けられた蓋２Ａの下面２ａよりも上下方向の高さが低い位置に設けられる一端部３１と、当該一端部３１から蓋２Ａの下面２ａよりも上下方向の高さが高い位置まで延びる傾斜面３２と、を有する蓋開け機構３０を備える構成である。ここで、蓋開け機構３０の斜視図（概略図）を図５に示すと共に、図５におけるVI−VI線断面図を図６に示す。
【００３１】
一例として、蓋開け機構３０は樹脂材料を用いて形成されている。ただし、これに限定されるものではなく、金属材料を用いて形成される構成としてもよい。その場合には、特に、一端部３１、傾斜面３２を加熱可能な構成とすることによって、当該部位に付着するパラフィンが融けて落下する作用が得られ、清掃の必要性がなくなるため、さらに作業性を向上させることができる。
【００３２】
本実施形態に係る傾斜面３２は、カセットに対向する方向と平行する方向、すなわち、図中の矢印で示す前後方向において傾斜している構成となっている。また、一例として、一端部３１は、先端の断面形状（左右方向に直交する面による断面形状）が略Ｖ字状すなわち角度が鋭角の先細り形状に形成されている（図６参照）。
【００３３】
この構成によれば、カセット２の蓋２Ａの前端２ｂを蓋開け機構３０の傾斜面３２に当接させた状態とし、さらにその状態からカセット２を前方に引き寄せる動作を行うことによって、蓋２Ａの前端２ｂが傾斜面３２に沿って上昇して、蓋２Ａが開く作用が得られる。
【００３４】
なお、上記の作用を得るために、傾斜面３２は、一端部３１から蓋２Ａの下面２ａと高さが同じとなる位置までの水平距離Ｓ２が、蓋２Ａにおける本体２Ｂからの突出距離Ｓ１よりも短くなるように構成することが好適である。
【００３５】
このように、本実施形態に係る包埋装置１によれば、一方の手でピンセットを保持したまま、他方の手でカセット２を前方に引き寄せるように移動させるだけで、蓋２Ａを開くことが可能となる。したがって、手に保持していたピンセットをいちいちホルダー２２に戻さずに、カセット２の蓋２Ａを片手で開けることが可能となるため、従来の装置と比べて作業の簡素化と、作業時間の低減を図ることが可能となる。
【００３６】
なお、本実施形態に係る包埋装置１は、蓋開け機構３０において、他端部３３（一端部３１に対して前後方向における逆側の端部）に連続する領域、すなわち他端部３３から一端部３１方向へ所定の幅を有する領域に、前後方向および左右方向が所定寸法の上面部３４ａが設けられたハンドレスト部３４を備える構成となっている。
【００３７】
この構成によれば、カセット２の蓋２Ａを開ける方の手（掌から手首の辺り）をハンドレスト部３４に置くことができるため、指先をカセット２の後端２ｃに掛けて当該カセット２を前方に引き寄せる動作を楽な姿勢で、且つ、ブレないように行うことが可能となる。
【００３８】
（第二の実施形態）
続いて、本発明の第二の実施形態に係る包埋装置１について説明する。本実施形態に係る包埋装置１は、前述の第一の実施形態と基本的な構成は同様であるが、特に、蓋開け機構３０の構成において相違点を有する。以下、当該相違点を中心に本実施形態について説明する。
【００３９】
本実施形態に係る包埋装置１の蓋開け機構３０の斜視図（概略図）を図７に示すと共に、図７におけるVIII−VIII線断面図を図８に示す。
【００４０】
本実施形態に係る包埋装置１は、蓋開け機構３０において、傾斜面３２における蓋２Ａの下面２ａと上下方向の高さが一致する部分近傍の上方位置にひさし状に形成された跳ね防止部３５を備えている。
【００４１】
この構成によれば、カセット２の蓋２Ａの前端２ｂを蓋開け機構３０の傾斜面３２に当接させた状態とし、さらにその状態からカセット２を前方に引き寄せる動作を行うことによって、蓋２Ａの前端２ｂが傾斜面３２に沿って上昇して、蓋２Ａが開く作用が得られる点は、前述の第一の実施形態と同様である。
【００４２】
ここで、上記の作用により蓋２Ａが開く際は、その開く勢いによって蓋２Ａの飛び跳ねが生じる可能性がある。しかし、本実施形態に係る跳ね防止部３５を備える構成によれば、蓋２Ａの飛び跳ねが生じた場合に、蓋２Ａの上面２ｄがひさし状の跳ね防止部３５の下面３５ａに当接して、飛び跳ねが抑止される作用が得られる。したがって、片手で蓋２Ａを開く際ならではの問題として生じ得る蓋２Ａの飛び跳ねを防止することができ、当該蓋２Ａの飛び跳ねに伴う試料の飛散等を防止することができる。
【００４３】
（第三の実施形態）
続いて、本発明の第三の実施形態に係る包埋装置１について説明する。本実施形態に係る包埋装置１は、前述の第一の実施形態と基本的な構成は同様であるが、特に、蓋開け機構３０の構成において相違点を有する。以下、当該相違点を中心に本実施形態について説明する。
【００４４】
本実施形態に係る包埋装置１の蓋開け機構３０の斜視図（概略図）を図９に示す。
【００４５】
本実施形態に係る包埋装置１に特徴的な構成として、蓋開け機構３０における傾斜面３７は、カセット２を載置機構４０の所定位置（一例として、溝部４１内に配設されるホットプレート１８の上面の所定位置）に載置した状態において、一端部３６がカセット２の蓋２Ａの下面２ａよりも高さが低い位置に設けられると共に、カセット２に対向する方向と直交する方向、すなわち、図中の矢印で示す左右方向において傾斜している（図９の例示では右端が低く左端が高くなる）構成となっている。
【００４６】
この構成によれば、カセット２の蓋２Ａの前端２ｂが平面視において傾斜面３７と重なる位置であって、且つ、蓋２Ａの下面２ａが傾斜面３７よりも上方となる位置となるように、カセット２を載置機構４０（ここでは、溝部４１内に配設されるホットプレート１８の上面）に載置した状態とし、さらにその状態からカセット２を傾斜面３７の傾斜が上昇する左右いずれか所定の方向（図９の例示では左方向）にスライド移動させる動作を行うことによって、蓋２Ａの前端２ｂが傾斜面３７に沿って上昇して、蓋２Ａが開く作用が得られる。
【００４７】
このように、本実施形態に係る包埋装置１によれば、一方の手でピンセットを保持したまま、他方の手でカセット２を左右いずれか所定の一方向にスライド移動させるだけで、蓋２Ａを開くことが可能となる。
【００４８】
なお、変形例として、前述の第二の実施形態と同様に、傾斜面３７における蓋２Ａの下面２ａと上下方向の高さが一致する部分近傍の上方位置にひさし状に形成された跳ね防止部を設ける構成としてもよい（不図示）。
【００４９】
（第四の実施形態）
続いて、本発明の第四の実施形態に係る包埋装置１について説明する。本実施形態に係る包埋装置１は、前述の第一の実施形態と基本的な構成は同様であるが、特に、蓋開け機構３０、載置機構４０の構成において相違点を有する。以下、当該相違点を中心に本実施形態について説明する。
【００５０】
本実施形態に係る包埋装置１の蓋開け機構３０、載置機構４０の平面図（概略図）を図１０に示す。
【００５１】
本実施形態に係る包埋装置１は、蓋開け機構３０および載置機構４０の両方もしくはいずれか一方に関して、溝部４１における一端部３１から遠い側の壁面４１ａと、一端部３１との距離が左右いずれか所定の一方向に向かうにつれて短くなるように形成された構成となっている。すなわち、図１０を参照すれば、右から左へ向かうにつれて、溝部４１における一端部３１から遠い側の壁面４１ａと、一端部３１との距離が、Ｌ１からＬ２へと短くなる。
【００５２】
本実施形態においては、蓋開け機構３０の一端部３１を、左右いずれか所定の一方向に向かうにつれて、溝部４１における一端部３１から遠い側の壁面４１ａに近づけるように屈曲・湾曲させる構成であり、且つ、載置機構４０の溝部４１における一端部３１から遠い側の壁面４１ａを、蓋開け機構３０の一端部３１に近づけるように屈曲・湾曲させる構成となっている。
【００５３】
なお、他の例として、蓋開け機構３０の一端部３１のみを、左右いずれか所定の一方向に向かうにつれて、溝部４１における一端部３１から遠い側の壁面４１ａに近づけるように屈曲・湾曲させる構成としてもよい（不図示）。
【００５４】
さらに、他の例として、載置機構４０の溝部４１における一端部３１から遠い側の壁面４１ａのみを、蓋開け機構３０の一端部３１に近づけるように屈曲・湾曲させる構成としてもよい（不図示）。
【００５５】
上記のいずれの構成例によっても、カセット２の蓋２Ａの前端２ｂが平面視において傾斜面３２と重なる位置であって、且つ、蓋２Ａの下面２ａが傾斜面３２よりも上方となる位置となるように、カセット２を載置機構４０（ここでは、溝部４１内に配設されるホットプレート１８の上面）に載置した状態とし、さらにその状態からカセット２を、溝部４１における一端部３１から遠い側の壁面と一端部３１との距離が短くなる方向（図１０の例示では左方向）にスライド移動させる動作を行うことによって、カセット２の蓋２Ａの前端２ｂが蓋開け機構３０の傾斜面３２に当接する位置が次第に変化していく、より具体的には、当接位置が傾斜面３２の下方位置から上方位置へと変化していくため、蓋２Ａの前端２ｂが傾斜面３２に沿って上昇して、蓋２Ａが開く作用が得られる。
【００５６】
このように、本実施形態に係る包埋装置１によれば、一方の手でピンセットを保持したまま、他方の手でカセット２を左右いずれか所定の一方向にスライド移動させるだけで、蓋２Ａを開くことが可能となる。
【００５７】
なお、変形例として、前述の第二の実施形態と同様に、傾斜面３２における蓋２Ａの下面２ａと上下方向の高さが一致する部分近傍の上方位置にひさし状に形成された跳ね防止部を設ける構成としてもよい（不図示）。
【００５８】
以上、説明した通り、本発明に係る包埋装置によれば、一方の手でピンセットを保持したまま、他方の手でカセットを所定の一方向に移動させるだけで、カセットの蓋を開くことが可能となる。したがって、手に保持していたピンセットをいちいちホルダーに戻さずに、カセットの蓋を片手で開けることが可能となるため、従来の装置と比べて作業の簡素化と、作業時間の低減を図ることが可能となる。
【００５９】
なお、本発明は、以上説明した実施例に限定されることなく、本発明を逸脱しない範囲において種々変更可能である。
【符号の説明】
【００６０】
１  包埋装置
２  カセット
２Ａ  蓋
２Ｂ  本体
１２  貯留槽
１４  ニードル弁
１６  開閉スイッチ
１８  ホットプレート
２０  コールドスポット
２２  ホルダー
２４  カバー
２６  加温槽
３０  蓋開け機構
３１、３６  一端部
３２、３７  傾斜面
３３  他端部
３４  ハンドレスト部
３５  跳ね防止部
４０  載置機構
４１  溝部
【図１】
2018132400.tif 000003
【図２】
2018132400.tif 000004
【図３】
2018132400.tif 000005
【図４】
2018132400.tif 000006
【図５】
2018132400.tif 000007
【図６】
2018132400.tif 000008
【図７】
2018132400.tif 000009
【図８】
2018132400.tif 000010
【図９】
2018132400.tif 000011
【図１０】
2018132400.tif 000012